(57)【特許請求の範囲】
【請求項１】
複数の脚と、
第１の脚および第２の脚の間に延在しかつそれらを接続する第１の長手方向延在レールと、
第３および第４の脚の間に延在しかつそれらを接続する第２の長手方向延在レールと
を含むコンベヤフレームであって、
前記第１および第２の長手方向延在レールがコンベヤベルトの運搬経路を形成し、前記運搬経路がまた前記フレームを構造的に支持し、
さらに、前記運搬経路の下に掲載された戻り経路の前記コンベヤベルトを支持するために前記脚に接続された戻り経路支持レールを含むことを特徴とするコンベヤフレーム。
【請求項２】
請求項１に記載のコンベヤフレームにおいて、長手方向延在レールのそれぞれが、各端部で、湾曲した部分において終端し、前記湾曲した部分が前記運搬経路と前記運搬経路の下の戻り経路との間に反転要素を形成することを特徴とするコンベヤフレーム。
【請求項３】
請求項２に記載のコンベヤフレームにおいて、さらに、前記コンベヤフレームの端部で２つの反転要素に、およびその間に取り付けられたドラムモータを含むことを特徴とするコンベヤフレーム。
【請求項４】
請求項２に記載のコンベヤフレームにおいて、前記第１の脚が湾曲して、前記第１の長手方向延在レールによって形成された反転要素に接続することを特徴とするコンベヤフレーム。
【請求項５】
請求項１に記載のコンベヤフレームにおいて、前記脚の１つの頂部が湾曲して戻り経路支持部を形成することを特徴とするコンベヤフレーム。
【請求項６】
請求項１に記載のコンベヤフレームにおいて、前記戻り経路支持レールが、前記第１および第２の長手方向延在レールの下の床置き型戻り経路支持レールであることを特徴とするコンベヤフレーム。
【請求項７】
請求項１に記載のコンベヤフレームにおいて、各脚が、関連付けられる長手方向延在レールに対して外側に湾曲した上側部分を含むことを特徴とするコンベヤフレーム。
【請求項８】
請求項１に記載のコンベヤフレームにおいて、前記第１および第２の長手方向延在レールが、複数の円弧によって囲まれた断面を有することを特徴とするコンベヤフレーム。
【請求項９】
請求項１に記載のコンベヤフレームにおいて、前記第１および第２の長手方向延在レールが、薄い垂直構成部分と、前記薄い垂直構成部分の端部の丸みのあるより幅広い構成部分とを有する断面を有することを特徴とするコンベヤフレーム。
【請求項１０】
請求項１に記載のコンベヤフレームにおいて、前記脚の少なくとも２つが、上下逆さまのＵ字形レールで形成されることを特徴とするコンベヤフレーム。
【請求項１１】
請求項１に記載のコンベヤフレームにおいて、少なくとも１つの脚が、基部を形成するレールの湾曲部分と、前記基部から上に延在するレールの２つの直線部分とを含むことを特徴とするコンベヤフレーム。
【請求項１２】
請求項１に記載のコンベヤフレームにおいて、前記脚が台座式基部を有することを特徴とするコンベヤフレーム。
【請求項１３】
請求項１に記載のコンベヤフレームにおいて、前記脚が、前記長手方向延在レールに接続された接続具を受け入れるための受入装置に接続されることを特徴とするコンベヤフレーム。
【請求項１４】
請求項１に記載のコンベヤフレームにおいて、前記長手方向延在レールが、脚の対を接続する横方向レールの凹部に受け入れられることを特徴とするコンベヤフレーム。
【請求項１５】
請求項１に記載のコンベヤフレームにおいて、前記長手方向延在レールが、第１材料から形成されたコアと、第２材料から形成されたコーティングとを含むことを特徴とするコンベヤフレーム。
【請求項１６】
請求項１に記載のコンベヤフレームにおいて、さらに、前記長手方向延在レールを前記脚に接続するための継手接続具を含むことを特徴とするコンベヤフレーム。
【請求項１７】
コンベヤフレームであって、
運搬経路の第１の側を形成する第１の長手方向延在レールであって、第１反転要素を形成する湾曲した第１端部および第２反転要素を形成する湾曲した第２端部を有する第１の長手方向延在レールと、
運搬経路の第２の側を形成する第２の長手方向延在レールであって、前記第１反転要素の反対側の第３反転要素を形成する湾曲した第１端部および前記第２反転要素の反対側の第４反転要素を形成する湾曲した第２端部を有する第２の長手方向延在レールと、
前記フレームを支持構造体に接続するために前記第１および第２の長手方向延在レールに対して実質的に垂直に延在する支持レールと
を含むことを特徴とするコンベヤフレーム。
【請求項１８】
請求項１７に記載のコンベヤフレームにおいて、前記支持レールが、底部支持構造体から上に延在する脚を含むことを特徴とするコンベヤフレーム。
【請求項１９】
請求項１８に記載のコンベヤフレームにおいて、前記脚が下側部分と、横方向外側に湾曲する上側部分とを含むことを特徴とするコンベヤフレーム。
【請求項２０】
請求項１７に記載のコンベヤフレームにおいて、前記支持レールが、頭上支持構造体から下に延在する吊下げレールであることを特徴とするコンベヤフレーム。
【請求項２１】
請求項１７に記載のコンベヤフレームにおいて、前記支持レールが、側方支持構造体から延在する片持ちレールであることを特徴とするコンベヤフレーム。
【請求項２２】
請求項１７に記載のコンベヤフレームにおいて、さらに、戻り経路のコンベヤベルトを支持するために前記長手方向延在レールの下に戻り経路レールを含むことを特徴とするコンベヤフレーム。
【請求項２３】
請求項１７に記載のコンベヤフレームにおいて、前記長手方向延在レールが、前記フレームに支持を提供するために、前記支持レールを接続することを特徴とするコンベヤフレーム。
【請求項２４】
請求項１７に記載のコンベヤフレームにおいて、さらに、前記第１および第３反転要素の間に取り付けられたドラムモータを含むことを特徴とするコンベヤフレーム。
【請求項２５】
請求項２２に記載のコンベヤフレームにおいて、さらに、前記戻り経路のコンベヤベルトを支持するために前記長手方向延在レールの下の床から延在する複数の床置き型戻り経路レールを含むことを特徴とするコンベヤフレーム。
【請求項２６】
請求項１７に記載のコンベヤフレームにおいて、前記支持レールの少なくとも１つが、前記長手方向延在レールの１つを受け入れるための凹部を含むことを特徴とするコンベヤフレーム。
【請求項２７】
請求項１７に記載のコンベヤフレームにおいて、前記長手方向延在レールがコンベヤベルト支持部の中に形成され、前記コンベヤベルト支持部が、前記支持レールに関連付けられる受入装置に挿入されることを特徴とするコンベヤフレーム。
【請求項２８】
第１端部から第２端部まで延在するコンベヤベルトの運搬経路と、
前記運搬経路を支持する複数の脚と、
戻り経路の前記コンベヤベルトを支持するための、前記運搬経路の下の、複数の床置き型戻り経路支持部と
を含むことを特徴とするコンベヤフレーム。
【請求項２９】
請求項２８に記載のコンベヤフレームにおいて、前記運搬経路が、前記第１端部から第２端部まで延在する複数の長手方向延在レールによって形成されることを特徴とするコンベヤフレーム。
【請求項３０】
請求項２９に記載のコンベヤフレームにおいて、前記長手方向延在レールが、前記フレームの構造的支持を提供するために、前記脚を接続することを特徴とするコンベヤフレーム。
【請求項３１】
請求項２９に記載のコンベヤフレームにおいて、前記長手方向延在レールが第１および第２端部で湾曲して、前記運搬経路と前記戻り経路の間で前記コンベヤベルトを案内するための反転要素を形成することを特徴とするコンベヤフレーム。
【請求項３２】
複数の脚と、
前記脚に接続された受入装置に挿入される運搬経路支持部であって、コンベヤベルトの運搬経路の第１の側を形成する長手方向延在レールを含む運搬経路支持部と
を含み、
湾曲した戻り経路支持レールが、戻り経路の前記コンベヤベルトを支持するために前記脚に接続されていることを特徴とするコンベヤフレーム。
【請求項３３】
請求項３２に記載のコンベヤフレームにおいて、前記運搬経路支持部がさらに、前記運搬経路の下の戻り経路の前記コンベヤベルトを案内するための少なくとも１つの戻り経路支持部を含むことを特徴とするコンベヤフレーム。
【請求項３４】
請求項３２に記載のコンベヤフレームにおいて、前記受入装置が、選択された脚を接続する長手方向支持レールに形成されることを特徴とするコンベヤフレーム。
【請求項３５】
請求項３２に記載のコンベヤフレームにおいて、各脚がその頂部に形成された受入装置を含むことを特徴とするコンベヤフレーム。
【請求項３６】
第１の長さを有するシャフトの第１組と、
第２の長さを有するシャフトの第２組と、
複数の脚、および前記脚を接続する複数の長手方向延在レールを形成するように、選択された構成に前記シャフトを接続するための接続具と
を含むことを特徴とするコンベヤフレームを構築するためのキット。
【請求項３７】
請求項３６に記載のキットにおいて、シャフトの前記第１組の第１シャフトおよびシャフトの前記第２組の２つのシャフトに接続するためのＴ字形接続具を含む前記シャフトを接続するための第１接続具を特徴とするキット。
【請求項３８】
請求項３６に記載のキットにおいて、前記シャフトを接続するための第１接続具が、第１シャフトに接続するための突起を含む長手方向シャフトと、前記長手方向シャフトから下に延在しかつ第２シャフトと接続するための突起を含む実質的に垂直のシャフトとを含むことを特徴とするキット。
【請求項３９】
請求項３８に記載のキットにおいて、前記第１接続具の前記長手方向レールが、コンベヤベルトの反転要素を形成する湾曲した端部を含むことを特徴とするキット。
【発明の詳細な説明】
【背景技術】
【０００１】
本発明は概して動力駆動式コンベヤのフレームに関し、詳細には清掃が容易なベルトコンベヤフレームに関する。
【０００２】
肉、鶏肉、果物および野菜産業において、食品を運ぶためにコンベヤベルトが使用される。ほとんどのコンベヤベルトは運搬経路に沿って支持され、運搬経路はフレーム組立体によって支持される。ＵＳＤＡ衛生要件に適合するために、コンベヤベルトシステムは清掃可能でなければならない。コンベヤ運搬経路およびフレームは、脂、汚れおよび破片物が特に蓄積しやすい。異なる構成要素間の複雑な接続、フレームおよび運搬経路の多数の構成要素、清掃しにくい隙間、および他の事情により、コンベヤベルトシステムの清掃は時に問題になる。
【０００３】
従って、清掃しやすいコンベヤベルトシステムに対する必要性がある。
【発明の概要】
【０００４】
この必要性および他の必要性は、本発明の特徴を具現化するコンベヤシステムによって対処される。そのようなコンベヤシステムの１つの形態は、フレームおよび挿入可能なコンベヤベルト支持部を含む。別の形態はモジュール式フレームを含み、これは接続具を使用して接続される複数のシャフトによって形成される。別の形態は、単体のフレームおよび運搬経路構造を含み、これによりコンベヤベルトを支持する運搬経路が同じくフレームの支持構造を構成する。そのようなコンベヤシステムの１つの形態は、単体フレーム構造を含み、これによりコンベヤベルトを支持する運搬経路が同じくフレームの支持構造を構成する。フレームの構成要素は、清潔性を容易にするように、曲線状接続部材を介して接続可能である。
【０００５】
本発明の一態様によれば、コンベヤフレームは少なくとも４つの脚と、第１および第２の脚の間に延在しかつそれらを接続する第１の長手方向延在レールと、第３および第４の脚の間に延在しかつそれらを接続する第２の長手方向延在レールとを含む。第１および第２の長手方向延在レールは、コンベヤベルトの運搬経路を形成し、運搬経路はまた、フレームを構造的に支持する。
【０００６】
本発明の別の態様によれば、コンベヤフレームは、運搬経路の第１の側を形成する第１の長手方向延在レールと、運搬経路の第２の側を形成する第２の長手方向延在レールと、第１および第２の長手方向延在レールに対して実質的に垂直に延在する支持レールとを含む。第１の長手方向延在レールは、第１反転要素を形成する湾曲した第１端部と、第２反転要素を形成する湾曲した第２端部とを有する。第２の長手方向延在レールは、第１反転要素の反対側の第３反転要素を形成する湾曲した第１端部と、第２反転要素の反対側の第４反転要素を形成する湾曲した第２端部とを有する。
【０００７】
本発明の別の態様によれば、コンベヤフレームは、第１端部から第２端部まで延在するコンベヤベルトの運搬経路と、運搬経路を支持する複数の脚と、戻り経路のコンベヤベルトを支持するための、運搬経路の下の、複数の床置き型戻り経路支持部とを含む。
【０００８】
本発明の別の態様によれば、コンベヤフレームは、複数の脚と、脚に接続された受入装置に挿入される運搬経路支持部とを含む。運搬経路支持部は、コンベヤベルトの運搬経路の第１の側を形成する長手方向延在レールを含む。
【０００９】
本発明のさらに別の態様によれば、コンベヤフレームを構築するためのキットは、第１の長さを有するシャフトの第１組と、第２の長さを有するシャフトの第２組と、複数の脚、および脚を接続する複数の長手方向延在レールを形成するように、選択された構成にシャフトを接続する接続具とを含む。
【００１０】
本発明のこれら態様および特徴を、以下の記載、付随する請求項および添付図面において、より詳細に記載する。
【図面の簡単な説明】
【００１１】
【図１】図１は、一体化された運搬経路を有する清掃可能なコンベヤフレームの実施形態の等角図である。
【図２】図２は、図１のコンベヤフレームの正面図である。
【図３】図３は、ドラムモータを含む図１のコンベヤフレームを示す。
【図４】図４は、ドラムモータおよびドラムモータによって駆動されるコンベヤベルトを含む図１のコンベヤフレームを示す。
【図５】図５は、隅板を有する清掃可能なコンベヤフレームの実施形態を示す。
【図６】図６は、一体化された運搬経路を有する清掃可能なコンベヤフレームの別の実施形態を示す。
【図７】図７は、２つのフレーム側部を含む清掃可能なコンベヤフレームの実施形態を示す。
【図８Ａ】図８Ａは、２つのフレーム側部を含む清掃可能なコンベヤフレームの別の実施形態を示す。
【図８Ｂ】図８Ｂは、図８Ａの清掃可能なコンベヤフレームの側面図である。
【図９Ａ】図９Ａは、フレーム側部のある配置を含む清掃可能なコンベヤフレームの実施形態を示す。
【図９Ｂ】図９Ｂは、図９Ａの清掃可能なコンベヤフレームの側面図である。
【図１０Ａ】図１０Ａは、直列に配置されたフレームモジュールを含む清掃可能なコンベヤフレームの実施形態を示す。
【図１０Ｂ】図１０Ｂは、図１０Ａの清掃可能なコンベヤフレームの側面図である。
【図１１Ａ】図１１Ａは、頭上の構造からフレームを吊り下げるための垂直吊下げレールを含む清掃可能なコンベヤフレームを示す。
【図１１Ｂ】図１１Ｂは、図１１Ａの清掃可能なコンベヤフレームの側面図を示す。
【図１２Ａ】図１２Ａは、側方の構造からフレームを浮かせるための片持ち支持部を含む清掃可能なコンベヤフレームを示す。
【図１２Ｂ】図１２Ｂは、図１２Ａの清掃可能なコンベヤフレームの側面図である。
【図１３Ａ】図１３Ａは、吊り下げられたコンベヤフレームの別の実施形態を示す。
【図１３Ｂ】図１３Ｂは、図１３Ａの吊り下げられたコンベヤフレームの側面図である。
【図１４Ａ】図１４Ａは、曲線状接続具を介して接続された一体化運搬経路および構成要素を含む清掃可能なコンベヤフレームの別の実施形態を示す。
【図１４Ｂ】図１４Ｂは、図１４Ａの清掃可能なコンベヤフレームの側面図である。
【図１５Ａ】図１５Ａは、追加戻り経路支持部を有する図１４Ａおよび１４Ｂのフレームを示す。
【図１５Ｂ】図１５Ｂは、図１５Ａのフレームの側面図である。
【図１６】図１６は、一体化された運搬経路を含む清掃可能なコンベヤフレームの実施形態を示す。
【図１７】図１７は、図１６のフレームの側面図である。
【図１８】図１８は、図１６のフレームの正面図である。
【図１９】図１９は、一体化された運搬経路およびフレームを有する清掃可能なコンベヤフレームを示す。
【図２０】図２０は、一体化された運搬経路およびフレームを有する清掃可能なコンベヤフレームの別の実施形態を示す。
【図２１】図２１は、一体化された運搬経路およびフレームを有する清掃可能なコンベヤフレームの別の実施形態を示す。
【図２２】図２２は、一体化された運搬経路を有する清掃可能なコンベヤフレームの別の実施形態を示す。
【図２３】図２３は、清掃可能なコンベヤフレームの別の実施形態を示す。
【図２４】図２４は、本発明の一実施形態による構成要素間の最少接続を有する清掃可能なコンベヤフレーム設計の正面図である。
【図２５】図２５は、本発明の別の実施形態による構成要素間の最少接続を有する清掃可能なコンベヤフレーム設計の正面図である。
【図２６】図２６は、本発明の別の実施形態による構成要素間の最少接続を有する清掃可能なコンベヤフレーム設計の正面図である。
【図２７】図２７は、本発明の別の実施形態による構成要素間の最少接続を有する清掃可能なコンベヤフレーム設計の正面図である。
【図２８】図２８は、本発明の別の実施形態による構成要素間の最少接続を有する清掃可能なコンベヤフレーム設計の正面図である。
【図２９】図２９は、本発明の別の実施形態による構成要素間の最少接続を有する清掃可能なコンベヤフレーム設計の正面図である。
【図３０】図３０は、本発明の別の実施形態による構成要素間の最少接続を有する清掃可能なコンベヤフレーム設計の正面図である。
【図３１】図３１は、本発明の別の実施形態による構成要素間の最少接続を有する清掃可能なコンベヤフレーム設計の正面図である。
【図３２】図３２は、本発明の別の実施形態による構成要素間の最少接続を有する清掃可能なコンベヤフレーム設計の正面図である。
【図３３】図３３は、本発明の別の実施形態による構成要素間の最少接続を有する清掃可能なコンベヤフレーム設計の正面図である。
【図３４】図３４は、本発明の別の実施形態による構成要素間の最少接続を有する清掃可能なコンベヤフレーム設計の正面図である。
【図３５】図３５は、本発明の別の実施形態による構成要素間の最少接続を有する清掃可能なコンベヤフレーム設計の正面図である。
【図３６】図３６は、本発明の別の実施形態による清掃可能なコンベヤフレームの端面図である。
【図３７】図３７は、本発明の別の実施形態による清掃可能なコンベヤフレームの端面図である。
【図３８】図３８は、本発明の別の実施形態による清掃可能なコンベヤフレームの端面図である。
【図３９Ａ】図３９Ａは、清掃可能なコンベヤフレームの別の実施形態を示す。
【図３９Ｂ】図３９Ｂは、清掃可能なコンベヤフレームの別の実施形態を示す。
【図４０】図４０は、山形パターンの運搬経路を有する清掃可能なコンベヤフレームの別の実施形態を示す。
【図４１】図４１は、本発明の一実施形態による挿入可能なコンベヤベルト支持部を含むコンベヤフレームを示す。
【図４２】図４２は、図４１のコンベヤフレームの正面図である。
【図４３】図４３は、図４１のコンベヤフレームの側面図である。
【図４４】図４４は、１つのコンベヤベルト支持部が取り外された図４１のコンベヤフレームを示す。
【図４５】図４５は、挿入可能なコンベヤベルト支持部によって接続された一連の基部を含む清掃可能なコンベヤフレームを示す。
【図４６】図４６は、台座式基部構成要素および挿入可能なコンベヤベルト支持部を含む清掃可能なコンベヤフレームの実施形態を示す。
【図４７】図４７は、基部構成要素および挿入可能なコンベヤベルト支持部を含む清掃可能なコンベヤフレームの別の実施形態を示す。
【図４８Ａ】図４８Ａは、挿入可能なコンベヤベルト支持部を受け入れるための単体基部構成要素を含む清掃可能なコンベヤフレームの別の実施形態を示す。
【図４８Ｂ】図４８Ｂは、挿入可能なコンベヤベルト支持部を受け入れるための単体基部構成要素を含む清掃可能なコンベヤフレームの別の実施形態を示す。
【図４９】図４９は、本発明の別の実施形態によるモジュール式コンベヤフレームを示す。
【図５０Ａ】図５０Ａは、図４９のモジュール式コンベヤフレームの中間部分の詳細図である。
【図５０Ｂ】図５０Ｂは、図５０Ａの中間部分の側面図である。
【図５１】図５１は、図４９のモジュール式コンベヤフレームの前部の詳細図である。
【図５２Ａ】図５２Ａは、クレビス形結合具を含むモジュール式コンベヤフレームの等角図である。
【図５２Ｂ】図５２Ｂは、図５２Ａのフレームの正面図である。
【図５２Ｃ】図５２Ｃは、図５２Ａのフレームの別の図である。
【図５３】図５３は、図５２Ａのフレームの交差領域の詳細な近接図である。
【図５４】図５４は、本発明の別の実施形態によるモジュール式コンベヤフレームの一部の等角図である。
【図５５】図５５は、図５４のモジュール式コンベヤフレームの分解図である。
【図５６】図５６は、図５４のフレームの反転要素構成要素の詳細図である。
【図５７】図５７は、図５４のフレームのＴ字形接続具の詳細図である。
【図５８】図５８は、図５４のフレームの中間長手方向レールの反転要素の詳細図である。
【図５９】図５９は、図５４のフレームの中間長手方向レールの接続具の詳細図である。
【図６０】図６０は、図５４のフレームの戻り経路レール構成要素の詳細図である。
【図６１】図６１は、本発明の別の実施形態による自由回転接続具を含むコンベヤフレームのＴ字形接続具およびシャフト界面の分解図である。
【図６２】図６２は、図６１に示されるフレームの一部の組立図である。
【図６３Ａ】図６３Ａは、本発明の一実施形態によるコンベヤフレーム構成要素の断面図である。
【図６３Ｂ】図６３Ｂは、図６３Ａのコンベヤフレーム構成要素の等角図である。
【図６４Ａ】図６４Ａは、本発明の別の実施形態によるコンベヤフレーム構成要素の断面図である。
【図６４Ｂ】図６４Ｂは、図６４Ａのコンベヤフレーム構成要素の等角図である。
【図６５Ａ】図６５Ａは、本発明の別の実施形態によるコンベヤフレーム構成要素の断面図である。
【図６５Ｂ】図６５Ｂは、図６５Ａのコンベヤフレーム構成要素の等角図である。
【図６６Ａ】図６６Ａは、本発明の別の実施形態によるコンベヤフレーム構成要素の断面図である。
【図６６Ｂ】図６６Ｂは、図６６Ａのコンベヤフレーム構成要素の等角図である。
【図６７】図６７は、別の実施形態による丸みのあるＩ形鋼のように成形されたフレーム構成要素の断面図である。
【図６８】図６８は、別の実施形態による丸みのあるＴ形梁のように成形されたフレーム構成要素の断面図である。
【図６９】図６９は、別の実施形態による丸みのあるコンマのように成形されたフレーム構成要素の断面図である。
【図７０】図７０は、本発明の様々な実施形態の清掃可能なコンベヤフレームでの使用に適した構成要素の断面図である。
【図７１】図７１は、本発明の様々な実施形態の清掃可能なコンベヤフレームでの使用に適した別の構成要素の断面図である。
【図７２】図７２は、本発明の様々な実施形態の清掃可能なコンベヤフレームでの使用に適した別の構成要素の断面図である。
【発明を実施するための形態】
【００１２】
本発明の特徴を具現化するコンベヤフレームが図１〜４に示されている。この例示的なコンベヤフレーム１０は、フレームの第１端部１１とフレームの第２端部１２の間を移動するコンベヤベルト４０（図４に示す）を支持する。コンベヤベルトは製品を第１端部１１から第２端部１２へ運搬経路に沿って搬送する。コンベヤベルト４０は、運搬経路の各端部で反転要素の周りに巻き付け、運搬経路の下の戻り経路に沿って戻すことができる。フレーム１０は、単純性および一体性により構成要素を最少化して清掃可能性を向上し、一方で十分な強度を保証する。
【００１３】
例示のフレーム１０は、フレームの支持構造を運搬経路と一体化する。
【００１４】
フレーム１０は端部１１、１２の近くに、および任意選択的にフレームに沿った中間点に、一対の脚１８を含む。長手方向延在レール２０は脚と接続し、フレーム１０を構造的に支持し、第１端部１１から第２端部１２へ延在するコンベヤベルト４０を支持するための運搬経路を形成する。長手方向延在レール２０の端部２３、２４は、好ましくは１８０°の円弧にわたり湾曲し、運搬経路と戻り経路の間にコンベヤベルト用の反転要素または案内構造を形成する。端部２３、２４によって形成された湾曲反転要素は、好ましくはレール２０の直線部分と一体であり、所望の構造を形成するために端部を曲げることによって形成することができる。
【００１５】
横方向脚接続具１９がそれぞれの脚１８の対の間に延在する。例示の脚および横方向脚接続具は、逆さまにされたＵ字形レールによって形成され、Ｕ字形レールから上に延在する湾曲した上側部分２１を含む。脚１８の上側部分を形成する湾曲レール２１は、戻り経路のコンベヤベルトを収容するために、外側に湾曲する。図３に示されるように、図４に示されるコンベヤベルト４０を駆動するためのドラムモータ３０が、第２端部１２で長手方向レール２０の湾曲端部２４の間で支持される。湾曲した戻り経路レール５０が、戻り経路のコンベヤベルトを案内するために横方向脚接続具１９から延在し、長手方向に延在する。湾曲した戻り経路レール５０は、横方向脚接続具１９と一体であり得、戻り経路のコンベヤベルト４０のたるみを調整し得る。
【００１６】
例示の脚１８は下側部分において実質的に垂直であるが、別法として、下側脚レールは内側に湾曲してもよく、または傾斜してもよく、または別の適切な実施形態を有してもよい。
【００１７】
図５は一体化されたコンベヤフレームおよび運搬経路システム１１０の別の実施形態の一部である。フレーム１１０はフレーム端部の近くに、および任意選択的にフレームに沿った中間点に、脚１１８を含む。横方向脚接続具１１９はそれぞれの脚１１８の対の間に延在する。例示の下側脚部分１１８ａおよび横方向脚接続具１１９は、逆さまにされたＵ字形レールによって形成される。湾曲したレール１２１は脚の上側部分を形成し、フレームの長さを延ばす長手方向レール１２０に接続する。長手方向レール１２０は、フレームを支持するために脚を接続し、コンベヤベルトを支持するために運搬経路を形成する。長手方向レール１２０の端部１２４は反転要素を形成するように湾曲する。湾曲した戻り経路レール１５０は、戻り経路のコンベヤベルトを案内するために横方向脚接続具１１９から延在する。例示のコンベヤ１１０はさらに、下側脚レール１１８ａと上側脚レール１２１の間の結合部に隅板１３０を含む。隅板１３０により清掃が難しい９０°のコーナがなくなる。
【００１８】
例示の脚１１８は実質的に垂直であるが、別法として、脚は内側に湾曲してもよく、傾斜してもよく、または別の適切な構造を有してもよい。
【００１９】
図６は、一体化されたコンベヤフレームおよび運搬経路システムの別の実施形態を示す。一体化されたフレーム２１０は、フレームの第１端部から第２端部まで延在して運搬経路を形成する長手方向延在レール２２０を含む。長手方向レール２２０の端部は、反転要素２２１または案内構造を形成するために湾曲している。半円形の長手方向延在レールは下側の脚２１８を形成し、半円形レールの各端部は床に接地されている。接続レール２１９が、脚の各対をコンベヤの長さに沿って長手方向レール２２０に接続する。各接続レール２１９は、半円形の脚レール２１８の頂部の間にかつそれを越えて延在する横方向部分２１９ａを含む。横方向部分の端部は垂直部分２１９ｂを形成するように転回する。垂直部分２１９ｂの頂部は横方向内側に転回し、長手方向レール２２０に接続する短い横方向部分２１９ｃを形成する。好ましくは脚−長手方向レール接続具の転回は曲線である。フレームの脚が半円形のレール２１８、垂直部分２１９ｂおよび横方向部分２１９ｃを含むと考えてもよい。
【００２０】
半円形レール２１８の湾曲した上側部分および横方向レール２１９ａが、戻り経路のコンベヤベルトを支持するための戻り経路支持部を形成する。
【００２１】
本発明の特徴を具現化するコンベヤシステムのコンベヤフレームの別の実施形態が図７に示されている。この例示的なコンベヤフレーム３１０は、フレームの第１端部３０６とフレームの第２端部３０８の間を移動するコンベヤベルトを支持する。コンベヤベルトは製品を第１端部３０６から第２端部３０８へ運搬経路に沿って搬送する。コンベヤベルトは、運搬経路の各端部で反転要素の周りに巻き付け、運搬経路の下の戻り経路に沿って戻すことができる。フレーム１０は、単純性および一体性により構成要素を最少化して清掃可能性を向上し、一方で十分な強度を保証する。
【００２２】
例示のコンベヤフレーム３１０では、運搬経路支持部および戻り経路支持部はフレーム構造と一体化される。連続するロッド棒材を様々な方法で曲げて、単一の構成要素からフレームの多数の部分を作り、結合部を排除または最少化する。別法として、フレームの１つまたは複数の部分を、プラスチックから成形してもよい。
【００２３】
例示のコンベヤフレーム３１０は、互いに鏡像でありかつ互いに独立し得るフレーム側部３１１ａおよび３１１ｂの２つの組を含む。各フレーム側部３１１ａまたは３１１ｂは長手方向レール３２０を含み、長手方向レール３２０は、第１端部３０６から第２端部３０８まで延在し、フレーム側部の各端部に配置されたフレーム脚３１８を接続する。各長手方向レール３２０はまた、コンベヤベルトを案内するための運搬経路の片側を形成する。長手方向レール３２０の端部は反転要素を形成し、反転要素は、フレームの周りでコンベヤベルトを案内するための、または任意選択的にスプロケット、ドラム、モータまたは他の機構を収容するための、下方に延在する曲線３２１を含む。端部曲線３２１は実質的にＵ字形である。例示された各フレーム脚３１８は、内側脚部分３１８ｉ、外側脚部分３１８ｏ、および湾曲した接続部分３１８ｃを含む。外側脚部分３１８ｏは長手方向レール３２０から外側にずらされる一方、内側脚部分３１８ｉは長手方向レール３２０に揃えられてもよい。湾曲した接続部分３１８ｃは脚を支持するために基部を形成する。湾曲した接続部分３１８ｃは内側および外側脚部分を接続し、好ましくはフレーム３１０が置かれる床または基礎部分に置かれる。各内側脚部分３１８ｉは頂端部で湾曲し、長手方向内側に延在する戻り経路支持レール３５０を形成する。外側脚部分は頂端部で横方向内側に湾曲して脚−レール接続具３２２を形成し、脚−レール接続具３２２は、関連する長手方向レール３２０の下方に延在する曲線３２１と接続する。
【００２４】
フレームの各側部３１１ａおよび３１１ｂは一体構造であり、運搬経路支持部（長手方向レール３２０）もまたフレームの支持構造を形成している。各フレーム側部３１１ａ、３１１ｂの構成要素は、一体または別個の部品であり得る曲線部材を介して接続され、効果的に連続した構造を形成する。各側部３１１ａおよび３１１ｂは、様々な方向に曲げられて単体構造を形成する１つの棒材から形成可能である、またはより多くのものが金型から成形可能である。好ましくはフレーム構成要素は、ステンレス鋼、合金、プラスチック、別の適切な材料、または材料の組合せから形成され、および円形、楕円形、涙滴形、または他の適切に成形された断面など、複数の円弧から形成された断面を有する。別の実施形態では、フレーム構成要素は、丸みのある「Ｉ」、丸みのある「Ｔ」、「コンマ」型、または別の清掃可能な形状の形態の断面形状であり得る。一実施形態では、フレーム構成要素は、プラスチックのコーティング、スリーブまたはトップを有するステンレス鋼を含む。
【００２５】
あるいは、フレーム側部は、気密封止構造を形成するために接着剤または継手を用いて相互に結合された別個の構成要素を含み得る。
【００２６】
図８Ａおよび８Ｂは、清掃可能なコンベヤフレーム４１０の別の実施形態を示す。フレーム４１０は図７のフレーム３１０と同様のものであり、脚および反転要素と一体化された長手方向レールを含む２つのフレーム側部４１１ａ、４１１ｂを含むが、運搬経路戻りレール４５０が床まで延びて追加支持を提供している点が異なる。
【００２７】
図９Ａおよび９Ｂに示される１つの使用によれば、コンベヤフレーム５００は、図７に関連して上で記載したような、１つの構造に一体化される複数の構成要素をそれぞれが含む複数のフレーム側部部分５１１からなる構成を含み得る。例えば、コンベヤフレーム５００の第１の側は、直列に配置された３つのフレーム側部５１１ａ、５１１ｂ、５１１ｃを含み、コンベヤフレームの第２の側は、直列の２つのフレーム側部５１１ｄ、５１１ｅを含む。側部は食い違うように配置され、その結果、２つのフレーム側部間の界面５１２は、反対側フレーム側部の固体部分と整列する。例示のフレーム側部部分は、運搬経路を形成する長手方向レールによって接続された脚を含み、異なる要素間に湾曲した界面を有する。
【００２８】
図１０Ａおよび１０Ｂは、直列に配置された２つのフレームモジュール６０１ａ、６０１ｂを含む清掃可能なコンベヤフレーム６００の別の実施形態を示す。各フレームモジュール６０１は、長手方向レール６２０および支持脚６１８を含む。長手方向レール６２０は図７の長手方向レール３２０と同様のものである。長手方向レール６２０はコンベヤベルトを支持し、図７の脚３１８と同様のものである脚６１８を接続する。各フレームモジュール６０１は、湾曲した戻り経路レール部分６５０と、長手方向レール６２０と一体である反転要素を形成する湾曲した端部レール６２１とを含む。湾曲した端部レール６２１は、スプロケット、ローラ、ドラム、モータ、または他の装置を取り付けるために使用可能である。あるいは湾曲した端部レール６２１は単にコンベヤベルトを運搬経路から戻り経路へ案内し得る。例示の脚６１８はそれぞれ内側脚部分６１８ｉ、外側脚部分６１８ｏ、および脚部分を接続する湾曲した基部６１８ｃを含む。湾曲した接続具６２２が外側脚部分６１８ｏと湾曲した端部レール６２１の間に延在する。図１０Ａの実施形態では、横方向接続レール６５１が各端部で戻り経路レール６５０を接続し、フレーム側部を接続する。例示のフレームモジュール６０１ａ、６０１ｂは一体の単体構造であり、清潔さを促すように流れるような湾曲した接続部を有する連続したレールから形成される。単一のロッド棒材を様々な方向に曲げて、各フレームモジュール６０１ａ、６０１ｂを、または各フレームモジュール６０１ａおよび６０１ｂの一部を形成することができる。あるいはフレームモジュール６０１ａ、６０１ｂを、気密封止された継手によって相互に結合された別個の構造体から形成することができる。
【００２９】
本発明の別の実施形態によれば、清掃可能なコンベヤフレームは、脚などの床置き型支持具ではなく、天井または頭上支持部から吊り下げられてもよい。例えば、図１１Ａおよび１１Ｂは、天井または頭上支持部から吊り下げられた清掃可能なコンベヤフレーム７００の実施形態を示す。フレーム７００は第１フレーム側部７１１ａおよび第２フレーム側部７１１ｂを含む。各フレーム側部は、運搬経路支持部を形成する長手方向レール７２０と、フレームの各端部の長手方向レール７２０の外側の実質的に垂直な吊下げレール７１９とを含む。吊下げレール７１９は天井または他の頭上支持構造体から垂れ下がる。フレームに沿った中間位置に追加の吊下げレールを配置してもよい。各長手方向レール７２０の端部は湾曲してＵ字形反転要素７２１を形成する。吊下げレール７１９の底部は横方向内側に湾曲して戻り経路接続具７５１を形成し、戻り経路接続具７５１は頂部で長手方向外側に転回し、Ｕ字形戻りレール７５０を形成する。Ｕ字形長手方向外側戻り経路接続具７５２は、戻り経路レールを、湾曲した長手方向レール端部７２１に接続する。示されるように、清掃可能なコンベヤフレームは、湾曲した接続具を介して接続されて一体構造を形成する構成要素を含み、長手方向レールはフレームの支持構造ならびに運搬経路の要素を形成する。各フレーム側部は、様々な方向に曲げられた単一の棒材から、または気密封止された継手によって相互に結合された多数の構造体から、形成することができる。
【００３０】
本発明の別の実施形態によれば、清掃可能なコンベヤフレームは、壁または側方支持部から片持ちされ、延在してもよい。図１２Ａおよび１２Ｂは、片持ち式支持部を含む清掃可能なコンベヤフレーム８００の実施形態を示す。フレーム８００は、フレームの第１端部からフレームの第２端部まで延在しコンベアベルトの運搬経路を形成する一対の平行な長手方向レール８２０を含む。各長手方向レールの端部は湾曲してＵ字形反転要素８２１を形成する。底部でＵ字形反転要素８２１は横方向外側に転回し、Ｕ字形戻り経路接続具８５２の方に向かう。Ｕ字形戻り経路接続具の横方向内側端部は捻られて、Ｕ字形戻り経路レール８５０と接続する。Ｕ字形戻りレールの底部長手方向内側端部は片持ちレール８８０と接続し、片持ちレール８８０はコンベヤフレーム８００を支持する壁または側方支持部と接続する。
【００３１】
片持ちレール８８０はＵ字形であり、遠い方の戻り経路レール８５０ａと接続する内側片持ちレール８８１と、フレーム８００を支持する壁または側方支持部に近い方の戻りレール８５０ｂと接続する外側片持ちレール８８２とを含む。例示のフレーム８００は、様々な寸法に曲げられて単体構造を形成する連続した部材から形成される。フレーム８００は好ましくは鋭利なコーナ、縁部、継手または界面がなく、それにより清掃可能性を促す。
【００３２】
図１３Ａおよび１３Ｂは、吊り下げられたコンベヤフレーム１０００の別の実施形態を示す。図１３Ａおよび１３Ｂのフレーム１０００では、運搬経路支持部および戻り経路支持部は、フレーム構造と一体化される。一体化されたフレームは、コンベヤフレームの第１端部からコンベヤフレームの第２端部まで延在する一対の長手方向レール１０２０を含む。長手方向レール１０２０は、コンベヤベルトを案内する運搬経路の側部を形成する。フレーム１０００はまた、天井または頭上支持構造体から下に延在する実質的に垂直の吊下げレール１０１８の複数の対を含む。吊下げレールの各対は、吊下げレールと連続する横方向支持レール１０２２によって接続される。横方向吊下げ装置接続具１０１９が長手方向レール１０２０から外側に延在し、長手方向レールを吊下げレール１０１８に接続する。弓状レール１０５０が横方向支持レール１０２２と交差してコンベヤベルトの戻り経路を形成する。長手方向レール１０２０の端部は湾曲してコンベヤベルトの一体反転要素１０２１を形成する。
【００３３】
図１４Ａおよび１４Ｂは清掃可能なコンベヤフレーム１１００の別の実施形態を示す。コンベヤフレーム１１００は、コンベヤベルトを支持する運搬経路を形成する４つの長手方向レール１１２０を含む。コンベヤフレームはまた、端部脚１１１８および中央脚１１１９を含み、それらは長手方向レール１１２０に接続する。長手方向レール１１２０は、運搬経路を定めることに加えて、フレームの支持構造を形成する。湾曲した横方向に延在する接続具１１２２が、各端部脚１１１８の頂部を、関連する長手方向レール１１２０の端部に接続する。脚１１１８、長手方向レール１１２０および接続具１１２２の間の交差部分は、ある角度に曲げられるというよりむしろ湾曲され、効果的に連続する部材を形成する。横方向に延在する脚基部１１３０が、フレームの各端部で端部脚１１１８の間に延在する。Ｕ字形脚基部接続具１１３１が、横方向に延在する脚基部１１３０を、各脚１１１８の底部に接続し、フレームに安定性を提供する。
【００３４】
中央脚１１１９は一対の平行なレール１１１９ｕ、１１１９ｄを含み、それらは底部でＵ字形基部接続具１１１９ｃによって接続される。横方向レール接続具１１２３が、脚レール１１１９ｕ、１１１９ｄの頂部を、長手方向レールに接続する。中央脚は中間支持部としての役割を果たし、長距離コンベヤのために働く。コンベヤフレーム１１００は、コンベヤの長さに沿って食い違いに配置された多数の中央脚１１１９の組を有してもよい。
【００３５】
清掃可能なコンベヤフレーム１１００は、湾曲した界面によって接続された多数の一体化された構成要素を含み、清潔さを促す連続構造体を形成する。好ましくは、各構成要素は、円形、楕円形または涙滴形断面、あるいは丸みのあるＩ形鋼断面など、複数の円弧によって形成された断面形状を有する。単一の棒材または多数の棒材を様々な方向に曲げてフレーム１１００を形成することもできる。
【００３６】
図１５Ａおよび１５Ｂは、清掃可能なコンベヤフレーム１２００の別の実施形態を示す。図１５Ａおよび１５Ｂのフレームは、主コンベヤフレーム１１００を含む第１部分を含むが、主コンベヤフレーム１１００は例示の実施形態では図１４Ａおよび１４Ｂのフレーム１１００と同じものである。フレーム１２００はさらに、３つの戻り経路支持部１２５０の組を含む。各戻り経路支持部１２５０は、一対のＵ字形戻り経路脚１２５９と、戻り経路脚１２５９の間に延在する横方向に延在する基部１２６０とを含む。コンベヤベルトは、Ｕ字形戻り経路脚１２５９の湾曲した頂部の上に載り、それによって支持される。基部１２６０と脚の間の界面は好ましくは湾曲を付けられ、基部１２６０は戻り経路脚１２５９の端部からオフセットされてもよい。基部１２６０は、独立に自立したモジュールであってもよく、または床またはフレーム１２００用の他の支持構造体にボルト締めされてもよい。戻り経路支持部１２５０は、湾曲した接続部を有する一体構造物であり、円形、楕円形または涙滴形断面など、複数の円弧を含む断面を有する連続したレールによって形成される。独立した戻りは、１２００として示されるフレームでの使用に制限されない。
【００３７】
図１〜１５Ｂの例示の実施形態では、いくつかのコンベヤフレーム構成要素は、一体化され、連続的であり、一体構造を形成する。構成要素は、溶接または他の方法で１つに結合されたステンレス鋼シャフト、プラスチックシャフト、プラスチックと鋼の組合せであり得、または別の適切な材料から形成することができる。異なる構成要素間の界面は、好ましくは曲線状である。コンベヤフレームは、別個の接続具を必要とすることなくいくつかまたは全ての構成要素を形成するように１つの連続した材料片を曲げることによって、形成可能である。あるいは、継手または接着剤を使用して異なる構成要素を１つに結合し、気密封止構造を形成することもできる。
【００３８】
図１６〜１８は、清掃可能な一体化されたコンベヤフレーム１３００の別の実施形態を示し、コンベヤフレーム１３００は運搬経路支持部を有し、運搬経路支持部は同じくフレームの支持構造体を形成し、かつフレームと一体化される。一体化されたフレームは複数の脚１３１８を含む。脚の各対は、脚と連続する横方向支持レール１３１９によって接続される。横方向支持部１３１９の上の長手方向レール１３２０は脚を接続し、フレームの支持を提供する。長手方向レール１３２０はフレームの長さにおよび、コンベヤベルトを案内するための運搬経路を形成する。長手方向レール１３２０の端部は湾曲して反転要素（不図示）を形成してもよい。脚およびまたは横方向支持部１３１９に接続された下側の湾曲レール１３５０は、コンベヤベルトの戻り経路支持部を形成する。
【００３９】
図１９は、一体化された運搬経路およびフレームを有する清掃可能なフレームの別の実施形態を示す。清掃可能なフレーム１４００は、運搬経路レール１４１９によって接続された複数の脚１４１８を含む。運搬経路レールは、接続された円で構成され、フレーム１４００の上を移動するコンベヤベルトを支持する。
【００４０】
図２０は、一体化された運搬経路およびフレームを有する清掃可能なフレームの別の実施形態を示す。フレーム１５００は複数の脚１５１８、横方向支持部１５１９および長手支持部１５２０を含む。長手支持部１５２０は運搬経路の縁部も決定し得る。運搬経路レール１５２２は、長手支持部間を横断方向に延在し、接続された菱形のパターンを形成する。
【００４１】
図２１は、一体化された運搬経路を有する清掃可能なフレーム１６００の別の実施形態を示す。フレーム１６００は、フレームの各側に沿って複数の脚１６１８を含む。横断運搬経路レール１６２２が、菱形パターンで脚を接続し、コンベヤベルトの運搬経路構造を形成する。短い水平接続具１６２３が、菱形の横コーナと各脚の間に延在し、脚を横断運搬経路レールから引き離す。運搬経路レールは、運搬経路の形成に加えて、フレームの支持構造を形成する。
【００４２】
図２２は、一体化された運搬経路を有する清掃可能なフレーム１７００の別の実施形態を示す。清掃可能なフレーム１７００は脚１７１８と、コンベヤベルトを支持する運搬経路の側縁部を形成する長手接続レール１７２０とを含む。長手接続レール１７２０は、フレームの第１端部１７１１と第２端部１７１２の間に延在するレールを含む。脚は、長手接続レール１７２０から脚を引き離すように曲げられた頂部を含み得る。正弦型運搬経路レール１７２２が長手接続レール１７２０の間に延在し、コンベヤベルトおよびフレーム構造の両方を支持する。別法として、長手接続レールを省略してもよく、正弦型運搬経路レール１７２２が脚１７１８およびコンベヤベルトを直接接続し支持してもよい。
【００４３】
図２３は、本発明の別の実施形態によるコンベヤフレームおよび一体化運搬経路システム１８００の別の実施形態を示す。フレーム１８００の脚１８１８は台座スタンド式であり、フレームの横方向中間に沿って配置される。実質的にＣ字形のレール１８１９が、各脚の頂部を横切って横方向に延在する。長手方向レール１８２０が脚を接続し、第１端部１８１１から第２端部１８１２まで延在し、コンベヤベルトを支持するための運搬経路を形成する。長手方向レールを端部で湾曲させてコンベヤベルトの反転要素を形成してもよい。湾曲した戻り経路レール１８５０がＣ字形レール１８１８と交差し、コンベヤベルトの戻り経路を形成する。
【００４４】
図２４〜３５は、運搬経路を有する一体化コンベヤフレームの様々な代替実施形態の前面図である。図２４〜３５の実施形態は、異なる構成要素間の、溶接点など、接続部分を最少化するように設計されている。各フレームは少なくとも１つの脚、横方向接続具、コンベヤベルトを支持するための運搬経路縁部を形成する長手方向接続具、およびコンベヤベルトを案内する戻り経路レールを含む。
【００４５】
図２４に示されるように、脚の間に延在する横方向接続具は、２つの対にされた脚の先端を接続する基部であり得る。図２４を参照すると、フレーム１９００は、基部を形成する横方向接続具１９１９と、各横方向接続具１９１９の各端部から上に延在する複数の脚１９１８とを含む。運搬経路縁部を形成する長手方向レール１９２０は、フレームの各側で脚１９１８の頂部を接続する。各脚の中間部分において、戻り経路接続具１９５１が内側に延在する。戻り経路レール１９５０が戻り経路接続具に接続される。戻り経路レールは、多数の脚の間に延在する連続レール、すなわち単一レールであり得、図１に示されるように、好ましくは弓状で、各脚に接続される。長手方向レール１９２０は、反転要素を形成するように一体の湾曲した端部を有してもよい。
【００４６】
図２５を参照すると、清掃可能なフレーム２０００の別の実施形態において、戻り経路レール２０５０が、脚２０１８の頂部から内側に延在する湾曲した接続具２０５１に接続し得る。脚２０１８の各対は、２つの対にされた脚の先端の間に延在する横方向接続具２０１９によって接続される。湾曲した上側接続具２０２１が戻りレール２０５０から延在する。長手方向レール２０２０がフレームの第１端部から第２端部まで延在し、湾曲した上側接続具１０２１の端部に接続する。長手方向レール２０２０はコンベヤベルトの運搬経路を形成し、コンベヤベルトの一体反転要素を形成するように湾曲した端部を含んでもよい。
【００４７】
図２６のフレーム２１００は、脚２１１８が垂直に延在し戻り経路レール２１５０に直接接続することを除いて図２５のフレームと同じである。フレームの上側部分は、戻り経路レール２１５０と長手方向レール２１２０から延在する湾曲した上側接続具２１２１によって形成され、下側部分より幅が広く、下側部分は、脚２１１８と、脚の各対の先端の間に延在する横方向接続具２１１９とによって形成される。脚２１１８の各対および横方向接続具は、単一の湾曲したまたは曲げられたレールによって形成されてもよい。長手方向レール２１２０は、反転要素を形成する湾曲した端部を含んでもよい。
【００４８】
図２７に示されるように、別の実施形態において、フレーム２２００は、脚の各対が横方向基部接続具２２１９によって接続された垂直に延在する脚２２１８の対と、横方向接続具２２１９から延在する戻り経路構造とを含む。戻り経路構造は、横方向接続具２２１９から延在する戻り経路脚２２５２と、戻り経路脚２２５２に対し垂直に延在する横方向戻り経路接続具２２５５と、横方向戻り経路接続具２２５５の端部に形成された戻り経路レール２２５０とを含む。長手方向レール２２２０は各側で脚１２１８の頂部を接続し、コンベヤベルトの運搬経路およびフレームの支持構造を形成する。長手方向レール２２２０は反転要素を形成する湾曲した端部を含んでもよい。
【００４９】
図２８を参照すると、清掃可能なフレーム２３００の別の実施形態において、戻り経路支持部および横方向戻り経路接続具は、単一の湾曲したレール２３５５を含む。湾曲した戻り経路接続具レールの中間は、脚２３１８の間に延在する横方向基部レール２３１９に接続する。戻り経路レール２３５０は湾曲したレール２３５５の頂部に接続する。長手運搬経路レール２３２０は各側で脚２３１８の頂部を接続し、一体反転要素を形成するために湾曲した端部を含んでもよい。
【００５０】
図２９に示されるように、清掃可能なフレーム２４００の別の実施形態は、脚２４１８の間に延在する横方向基部レール２４１９から延在する垂直戻り経路脚２４５５を含む。戻り経路レール２４５０は垂直戻り経路脚２４５５の頂部に接続する。長手運搬経路レール２４２０は、フレームを支持しかつ運搬経路を形成するために、各側で脚２４１８の頂部を接続する。長手方向レール２４２０はコンベヤベルトの反転要素を形成するために端部で湾曲してもよい。
【００５１】
図３０は清掃可能なフレーム２５００の別の前面図を示す。清掃可能なフレーム２５００は、脚２５１８と、脚の先端部から内側に延在する横方向接続具２５１９とを含む。戻り経路脚２５５５が横方向接続具から上に延在し、外側に湾曲する。戻り経路レール２５５０は戻り経路脚２５５５の頂部に接続する。戻り経路横方向接続具２５５６は戻り経路脚２５５５の各対に間に延在し、追加支持を提供する。長手運搬経路レール２５２０は各側で脚２５１８の頂部を接続し、一体の湾曲した反転要素を含んでもよい。
【００５２】
図３１は、フレームの第１側縁部に沿って台座式脚２６１８を含む清掃可能なフレーム２６００の別の実施形態を示す。脚２６１８はフレームの中心に向かって湾曲し、一体化されたコンベヤベルト支持部２６３０に接続する。一体化されたコンベヤベルト支持部２６３０は、Ｃ字形サイドレール接続具２６４０、２６４２を含む。各左接続具２６４０は、各脚２６１８の端部に対するエンドコネクツに接続する。長手方向レール２６２０がフレームの各側にわたって延在し、サイドレール接続具の頂部に接続し、戻り経路レール２６５０が、サイドレール接続具の底部に接続する。長手方向レールは、前述のような一体の湾曲した反転要素を含んでもよい。横方向戻り経路接続具２６１９が戻り経路レール２６５０の各対の間に延在し、サイドレール接続具を接続する。
【００５３】
図３２に示される別の実施形態では、清掃可能なフレーム２７００はＳ字形を有してもよい。フレーム２７００は横方向基部レール２７１９、脚２７１８、中間横方向レール２７２１、湾曲サイドレール２７４０および頂部横方向レール２７４１を含む。フレームの頂部に沿って第１端部から第２端部まで延在する長手方向レール２７２０が運搬経路支持部を形成し、戻り経路レール２７５０がコンベヤベルトの戻り経路支持部を形成する。長手方向レールは一体の湾曲した反転要素を含んでもよい。
【００５４】
図３３に示されるように、別の実施形態では、フレーム２８００は横方向基部レール２８１９、フレームの第１の側に沿った脚２８１８、（一体の湾曲した反転要素を有する）長手方向レール２８２０の湾曲したサイド接続具２８４０、２８４２、戻り経路レール２８５０および中間横方向接続具２８２１を有してもよい。
【００５５】
図３４はフレーム２９００を示し、ここで脚および横方向基部レールは、フレーム構造を形成するように湾曲した単一シャフト２９１０によって形成される。第１端部において、シャフト２９１０は、フレームの長さに沿って延在しかつ運搬経路を定める第１長手方向レール２９２０ａに接続する。シャフトは下方に延び、脚を形成するために１８０°転回部２９１１を完成し、シャフトは上方に延び、第２の１８０°転回部２９１２を形成し、ここで戻り経路レール２９５０ａがシャフトに接続する。次にシャフトは下方に延び、９０°転回部２９１３を形成し、フレームの基部を横切って横方向に延び、別の９０°転回部２９１４を完成し、第３の１８０°転回部２９１５まで上方に延びる。別の戻り経路レール２９５０ｂは、転回部２９１５でシャフトに接続する。続いてシャフト２９１０は下方に延び、別の脚を形成するために別の１８０°転回部２９１６を形成し、次にフレームの頂部に向かって上方に延び、そこで、フレームの長さに沿って延在しかつ運搬経路を定める第２長手方向レール２９２０ｂに結合する。好ましくはシャフトの全ての転回部は、鋭い転回部というよりも曲線であり、それにより清掃可能性を促進する。長手方向レールは前述のような一体の湾曲した反転要素を含んでもよい。
【００５６】
図３５は、脚および横方向支持部を形成する多数の曲線を有するシャフト２１１０を含む清掃可能なフレーム２１００の別の実施形態を示す。シャフト２１１０は第１端部で第１長手方向レール２１２０ａに結合し、脚を形成する第１の１８０°転回部２１１１まで下方に延びる。シャフト２１１０は続いて９０°転回部２１１２まで上方に延び、続いて別の９０°転回部２１１３までフレームを横切って横方向に延びる。続いてシャフトは別の脚を形成する別の１８０°転回部まで下方に延びる。続いてシャフトは第２端部まで上方に延び、第２端部は第２の長手方向シャフト２１２０ｂに結合する。戻り経路レール２１５０が、９０°転回部または中間位置で、フレームの横方向に延在する部分に沿って湾曲シャフト２１１０に結合する。シャフトの転回部は鋭い転回部というよりも好ましくは曲線であり、それにより清掃可能性を促進する。長手方向レールは前述のように一体の湾曲した反転要素を含んでもよい。
【００５７】
図３６は、本発明の別の実施形態による清掃可能なコンベヤフレーム２２００の端面図である。フレーム２２００は、運搬経路を形成する長手方向レール２２２０によって接続された複数の基部構成要素２２１０を含む。各基部構成要素２２１０は、一対の実質的に垂直な脚２２１８を含む。脚の頂部は横方向内側に転回し、横方向接続部材２２１９を形成する。横方向接続部材２２１９の内側端部は上方に転回し、垂直な接続部材２２５０を形成する。垂直接続部材２２５０の頂部は横方向外側に転回し、戻り経路支持部２２５１を形成する。戻り経路支持部２２５１の外側端部は上方に転回し、垂直接続具２２５３（これを脚の頂部と考えてもよい）を形成する。垂直接続具２２５３の頂部は、横方向運搬経路支持部材２２２２によって接続される。横方向運搬経路支持部材は、長手方向レール２２２０と適合する凹部２２２３を含み、その結果、長手方向レールは凹部２２２３に着座する。各基部構成要素２２１０は、異なる部分を形成するように曲げられた単一材料片から形成可能であり、好ましくは鋭い転回というよりも曲線によってこれら部品を接続する。材料は、ステンレス鋼などの金属、プラスチックまたはハイブリッド材料であってもよい。長手方向レール２２２０はステンレス鋼、プラスチックまたはハイブリッドであってもよい。反転要素を形成する湾曲した端部を有してもよくまた凹部２２２３と適合する長手方向レール２２２０は、任意の適切な形状を有してもよい。
【００５８】
図３７は本発明の別の実施形態による清掃可能なコンベヤフレーム２３００の端面図である。フレーム２３００は、運搬経路を形成する長手方向レール２３２０によって接続された複数の基部構成要素２３１０を含む。各基部構成要素２３１０は、基部構造を形成するように曲げられる、ステンレス鋼およびプラスチックまたはそれらのハイブリッドなど、単一の材料片から形成可能である。各基部は、一対の集束する傾斜した脚２３１８を含む。脚の頂部は外側に湾曲し、横方向戻り経路支持部２３５０を形成する。横方向戻り経路支持部の端部は、上方に湾曲し、内側に戻って横方向運搬経路支持部材２３２２を形成する。横方向運搬経路支持部材２３２２は、長手方向レール２３２０を受け入れるための凹部２３２３を有する。長手方向レールは運搬経路を定め、フレームの支持構造を提供する。長手方向レールは、運搬経路と戻り経路の間に一体反転要素を形成する湾曲した端部を含んでもよい。
【００５９】
図３８は、基礎部材２４１０および長手方向レール２４２０を含む清掃可能なコンベヤフレーム２４００の別の実施形態を示す。基礎部材２４１０は図３７の基礎部材２３１０と同様のものであり、傾斜した脚２４１８、横方向戻り経路支持部、および凹部２４２３を有する横方向運搬経路支持部材２４２２を含む。戻り経路支持部２４５０の外側の湾曲は、補強部材２４６０を受け入れるための凹部２４５３を含む。補強部材の位置は強度および剛性に最適化することができる。
【００６０】
図３９Ａおよび３９Ｂは清掃可能なコンベヤフレーム２５００の別の実施形態を示す。フレーム２５００は複数の基部構成要素２５１０を含む。各基部構成要素は一対の脚２５１８を含む。脚の頂部は横方向内側に湾曲し、脚の頂部を接続する横方向運搬経路支持部材２５２２を形成する。横方向運搬経路支持部材２５２２は、運搬経路を形成しかつ基部構成要素２５１０を接続する長手方向レール２５２０を受け入れるための凹部２５２３を含む。長手運搬経路レール２５２０は横方向運搬経路支持部材２５２２に溶接可能である。長手方向レールは、一体化された反転要素を形成するように湾曲した端部を含んでもよい。第２横方向支持レール２５１９が脚２５１８の間に延在し、戻り経路のコンベヤベルトの戻り経路支持を形成してもよい。
【００６１】
図４０は清掃可能なコンベヤフレーム２６００の別の実施形態を示す。フレーム２６００は、長手運搬経路支持レール２６２２に接続された脚２６１８を含む。脚接続具２６１９が脚２６１８の頂部から垂直に延在し、脚を支持レール２６２２から引き離す。あるいは、脚を直接支持レール２６２２に接続してもよい。横断運搬経路レール２６２３が、コンベヤベルトを支持するためにフレームの長さに沿ってレールの山形パターンを形成する。
【００６２】
図１〜４０のフレーム実施形態では、フレーム構成要素は、単体構造を形成するように一体化されかつ連続的である。フレームは、破片物が捕捉され得る鋭角を最少化し、好ましくは曲線部材で構成要素（すなわち脚、運搬経路部材、戻り経路支持部、反転要素）の間を滑らかに移行する。構成要素は、溶接または他の方法で相互に結合されたステンレス鋼シャフト、プラスチックシャフト、プラスチックと鋼の組合せであってもよく、または別の適切な材料から形成されてもよい。
【００６３】
図４１〜４４は、清掃可能性を促進するために、挿入可能な運搬経路部材を含む、清掃可能なコンベヤフレーム２７００の別の実施形態を示す。
【００６４】
フレーム２７００は、脚支持部２７１９、２７２０によって接続された４つの脚２７１８によって形成された基部を含む。横方向脚支持部２７１９は、フレームの各端部で脚の間に延在するレールを含む。長手脚支持部２７２０は、フレーム２７１０の各側に沿って第１端部２７１１から第２端部２７１２まで延在するレールを含む。横方向脚支持部２７１９は脚の中間部分の間に延在し、長手脚支持部は脚２７１８の頂部を接続する。脚支持部２７２０、２７１９は脚と一体的に形成されてもよく、または連続した単体構造を形成するように溶接または別の適切な手段で取り付けられてもよい。フレーム２７１０はステンレス鋼、プラスチックまたは別の適切な材料から形成可能である。
【００６５】
コンベヤベルト支持部２７３０または２７３０’は、フレーム基部に挿入され、第１端部２７１１と第２端部２７１２の間を移動するコンベヤベルトを支持する運搬経路および戻り経路を形成する。コンベヤベルト支持部２７３０または２７３０’はフレーム２７００の各側に沿って挿入される。コンベヤベルト支持部２７３０は、運搬経路の第１側縁部を形成する頂部長手方向レール２７３１を含む。頂部長手方向レール２７３１はコンベヤベルトの第１側縁部を支持する。頂部長手方向レール２７３１はコンベヤベルトの反転要素を形成するように湾曲した端部を有してもよい。底部長手方向レール２７３２は戻り経路の第１側縁部を形成する。湾曲したレール接続具２７３３が、ベルト支持部をフレームに接続するために、頂部および底部レールをフレーム接続具に接続する。例示のフレーム接続具は、柱として示される基部２７３５を含み、これは湾曲したレール接続具２７３３から下に延在する。長手脚支持部２７２０は、コンベヤベルト支持基部２７３５を受け入れるための、開口２７３６として示された受入部を含む。各基部２７３５はフレーム２７００の受入部に滑り込み、必要な工具なしに簡単に運搬経路および戻り経路をフレームに一体化する。示されるように、挿入されると長手方向レール２７３１、２７３２は長手脚支持部２７２０の間に延在し、このとき頂部長手方向レールは長手脚支持部の上にあり、底部長手方向レールは長手脚支持部２７２０の下にある。
【００６６】
コンベヤベルト支持部２７３０または２７３０’はフレームの各側に設けられ、コンベヤベルトの各側を支持する。ベルトの中心は支持されなくてもよい。
【００６７】
コンベヤベルト支持部２７３０により、長手底部レール２７３２は戻り経路に沿って連続的にコンベヤベルトを支持する。あるいは、コンベヤベルト支持部は戻り経路に断続的な支持を提供してもよい。例えば、コンベヤベルト支持部２７３０’は、戻り経路のコンベヤベルトを支持するために、湾曲したレール接続具２７３３’に接続された複数の湾曲した下側レール２７５０を含む。湾曲した下側レール２７５０は下方に湾曲し、戻り経路のコンベヤベルトのたるみを考慮する。
【００６８】
コンベヤベルト支持部２７３０、２７３０’は、一体化されたモールド式プラスチック構造であってもよく、または別の適切な材料から形成されてもよい。
【００６９】
脚２７１８および脚支持部２７１９、２７２０を含む例示のフレーム基部は単体であるが、別法として、フレーム基部は、モジュラーでありかつ相互に接続される複数の構成要素を含んでもよく、このときコンベヤベルト支持部構成要素ブリックがモジュラーフレーム部分の上に横たえられる。
【００７０】
図４５〜４８Ｂは、基部構成要素および挿入可能なコンベヤベルト支持部を含む清掃可能なコンベヤフレームの別の実施形態を示す。例えば図４５は、挿入可能なコンベヤベルト支持部２８２０によって接続された一連のフレーム基部２８１０を含むコンベヤ２８００を示す。各基部２８１０は、横方向脚接続具２８１９によって接続された一対の脚２８１８を含む。例示の実施形態では、上下逆のＵ字形レールが、各基部の脚の下側部分および横方向脚接続具を形成する。湾曲した脚延長部２８１６が下側脚部分２８１８または脚接続具２８１９から上方に延在する。各湾曲した脚延長部（脚の上側部分と見なすことができる）の頂部が、挿入可能なコンベヤベルト支持部２８２０の受入部２８２２を形成する。
【００７１】
湾曲した戻り経路レール２８５０が、戻り経路のコンベヤベルトを案内するために横方脚接続具２８１９から延在する。
【００７２】
挿入可能なコンベヤベルト支持部２８２０のそれぞれは、フレームの第１端部から第２端部まで延在する長手方向レールを含む。挿入可能なコンベヤベルト支持部２８２０のそれぞれはさらに、基部２８１０の受入部２８２２に挿入されるように構成された、一連の下方に延在する突起２８２６を含む。各長手方向レール２８２０は、コンベヤベルトを支持する運搬経路の片側を形成する。長手方向レールの端部はコンベヤベルトの反転要素を形成するように湾曲してもよい。
【００７３】
挿入されるとコンベヤベルト支持部２８２０はフレーム基部を接続することによってフレームの支持構造を提供する。
【００７４】
一実施形態では、基部２８１０は鋼または別の金属から形成されるが、挿入可能なコンベヤベルト支持部２８２０はプラスチック、または組合せ、またはプラスチックおよび金属から形成される。
【００７５】
図４６は、台座式基部構成装置２９１０と、挿入可能なコンベヤベルト支持部２９２０とを含む清掃可能なコンベヤフレーム２９００の実施形態を示す。各台座式基部は湾曲基部２９１９によって支持される脚２９１８を含む。各脚２９１８はコンベヤベルト支持部２９２０を受け入れるための受入部２９２２で終端する。
【００７６】
挿入可能なコンベヤベルト支持部２９２０のそれぞれは、コンベヤベルトを支持する運搬経路の片側を形成する長手方向レール２９２１を含む。長手方向レール２９２１の端部は反転要素を形成するように湾曲してもよい。湾曲した接続具２９２６が長手方向レールから下方に延在し、それぞれ湾曲した戻り経路レール２９５０で終端する。下方に延在する突起２９２７が湾曲した接続具２９２６から延在し、基部２９１０の受入部２９２２に挿入されるように構成される。
【００７７】
挿入されるとコンベヤベルト支持部２９２０は、フレーム基部を接続することによってフレームの支持構造を提供する。
【００７８】
例示の実施形態では、基部２９１０は鋼または別の金属から形成されるが、挿入可能なコンベヤベルト支持部２９２０はプラスチック、または組合せまたはプラスチックおよび金属から形成される。
【００７９】
図４７は、基部構成装置３０１０と、挿入可能なコンベヤベルト支持部３０２０とを含む清掃可能なコンベヤフレーム３０００の実施形態を示す。各基部構成要素３０１０は、オフセットされた横方向接続レール３０１９によって接続された一対の脚３０１８と湾曲した接続具３０１７とを含む。各脚３０１８は受入部３０２２で終端する。例示の挿入可能なコンベヤベルト支持部３０２０は、図４６に示されたものと実質的に同一であるが、挿入可能なコンベヤベルト支持部は、運搬経路を形成しかつコンベヤベルトのフレームを形成するように基部構成要素３０１０に結合するのに適した任意の適切な構造を有してもよい。
【００８０】
図４８Ａおよび４８Ｂは、図４６および４７に示されるものと同様である、挿入可能なコンベヤベルト支持部３１２０などの、挿入可能なコンベヤベルト支持部を受け入れるための単体基部構成要素３１１０を含む清掃可能なコンベヤフレーム３１００の別の実施形態を示す。単体基部構成要素３１１０は、床または他の支持構造の上を横方向に延在する横方向レール３１１９によって接続された一対の脚３１１８を含む。脚３１１８の頂部は長手方向内側に湾曲し、フレームの第１端部から第２端部まで脚を接続する長手基部レール３１１７を形成する。長手基部レール３１１７は中間位置で曲げられ、挿入可能なコンベヤベルト支持部３１２０の受入部３１２２を形成する。例示の受入部３１２２は円形であるが、受入部は、挿入可能なコンベヤベルト支持部３１２０を受け入れるための任意の適切な構造を有してもよい。
【００８１】
例示の実施形態は、一対の別個の挿入可能なコンベヤベルト支持部３１２０を含み、それぞれ運搬経路および戻り経路の片側を形成する。あるいは挿入可能なコンベヤベルト支持部は他の手段を介して接続されてもよい。
【００８２】
図４９〜５１は清掃可能なコンベヤフレーム３２００の別の実施形態を示す。図４９〜５１のコンベヤフレームはモジュラーフレームであり、清掃可能な接続具によって接続された一組のシャフトから構成される。１８インチ、２４インチ、３６インチ、６０インチなど、異なる長さのシャフトの組が、モジュールフレーム３２００を形成するために備えられてよい。
【００８３】
例示のコンベヤフレーム３２００は、第１長さを有するシャフトから形成された６本の脚３２１８を含む。第１の脚対はフレームの第１端部に配置され、第２の脚対はフレームの第２端部に配置され、第３の脚対はフレームの中間にまたがる。脚は、端部同士が接続された複数のシャフトから、または単一シャフトから形成されてもよい。第２長さを有する３本のシャフトが、シャフトの中間で各脚対を接続する横方向支持部３２１９を形成する。第３長さを有するシャフトが、フレームの各側に沿って延在しかつ脚３２１８の頂部を接続する長手フレーム支持部３２２０を形成する。長手フレーム支持部はそれぞれ、単一シャフトまたは端部同士で接続された複数のシャフトを含んでもよい。あるいはモジュラーコンベヤフレームは、様々なサイズおよび構造で形成されてもよい。
【００８４】
各シャフト３２１８、３２１９、３２２０は、接続具３２４０または３２４２に対する取付部として開口を含む。接続具３２４０はＴ継手であり、接続具３２４２はエルボ継手であるが、任意の適切な継手を使用してもよい。継手は、シャフト開口と整列し得る開口３２４３を含む。球体移動止めピンまたは他の適切な結合具が、部品を一緒に保持する。
【００８５】
成形されたコンベヤベルト支持部３２３０をフレームに挿入して、前述のようにコンベヤベルトの運搬経路および戻り経路を形成することができる。
【００８６】
フレームは複数の異なる構成に簡単に組み立てることができる。フレームは必要な工具なしに手で組立および分解ができると好ましい。特注構成プログラムがエンジニアを助け、特注搬送設計用にシャフトおよび接続具を構成し得る。
【００８７】
あるいは単一の長いシャフトを製造可能であり、キットと一緒に販売される工具が棒材を切断し、端部にそれを貫く穴をあけることができる。
【００８８】
図５２Ａ〜５３に示される別の実施形態では、モジュラーコンベヤフレーム３３００は、クレビス形結合具によって結合されたシャフト構成要素を含む。フレーム３３００は脚３３１８を含み、脚３３１８はそれぞれ単一シャフトまたは相互に結合された複数のシャフトによって形成される。第１の脚対はフレームの第１端部に配置され、第２の脚対はフレームの第２端部に配置され、第３の脚対はフレームの中間にまたがる。横方向支持部３３１９がシャフトの中間で端部の脚対を接続する。長手フレーム支持部３３２０がフレームの各側に沿って延在し、脚３３１８の頂部を接続する。長手フレーム支持部３３２０は丸みのあるＴ字形断面を有し、コンベヤベルトを支持し案内する運搬経路縁部を形成する。あるいは、成形されたコンベヤベルト支持部をフレームに挿入して、前述のようにコンベヤベルトの運搬経路および戻り経路を形成してもよい。
【００８９】
クレビス形結合具３３５０、３３５２がシャフトを結合する。各シャフトの端部は、クレビス形結合具３３５０または３３５２に嵌め込むために狭くなったネック部分を含む。狭くなったネック部分の開口がピンを受け入れ、ピンがクレビス形結合具３３５０または３３５２をシャフトに接続する。
【００９０】
図５４および５５は、本発明の別の実施形態によるモジュラー式の清掃可能なコンベヤフレーム４０００を示す。フレーム４０００は接続具によって接続される複数のモジュラー構成要素から構成される。構成要素はフレームを形成するように任意の適切な構成または構造に配置可能である。例えば、例示のフレーム４０００は、標準シャフト４０１０および対応接続具の第１組によって形成された長手方向延在レール４０２０、４０２１と、標準シャフト４０１１および対応接続具の別の組によって形成された脚４０１８とを含む。標準シャフトの第１および第２組は既製の構成要素であることができ、好ましくは組立てを容易にするために中央開口４００１、４００２を含む。以下に記載するような接続具は、成形構成要素であってもよい。長手方向延在レール４０２０は運搬経路の側縁部を形成し、一方で長手方向延在レール４０２１は運搬経路の中央支持部を形成する。長手方向延在レールは脚の間に延在しかつ脚を接続し、運搬経路の支持構造を形成する。長手方向レール４０２０、４０２１は、図５６および５８に示される湾曲した端部延長部４０２２、４０２３を含み、これらは反転要素を形成する。図５７に示されるＴ字形脚−運搬経路接続具４０６０が、長手方向レール４０２０、４０２１を形成するシャフト４０１０に中間脚４０１８を接続する。図５９に示される運搬経路シャフト接続具４０７０が、中心長手方向レール４０２１を形成するシャフト４０１０を、Ｔ字形脚−運搬経路接続具４０６０および外側長手方向レール４０２０を形成するシャフト４０１０に接続する。戻り経路支持部４０５０が、より多くの脚の対の内の１つの間に延在し、Ｔ字形接続継手４０６０と脚４０１８を形成するシャフト４０１１とに接続される。
【００９１】
図５６を参照すると、湾曲した端部延長部４０２２は、長手方向レール４０２０のシャフト４０１０と直列に接続するように構成されたシャフト４０３２と、湾曲した端部４０３３と、脚４０１８のシャフト４０１１と直列に接続する下方に延在するシャフト４０３４とを含む。長手方向シャフト４０３２は、開口４００１に受け入れられ、長手方向レール４０２０を画定するシャフト４０１０に接続されるように構成された突起４０３５を含む。下方に延在するシャフト４０３４は、開口４００２に受け入れられ、脚４０１８を画定する対応シャフト４０１１に接続されるように構成された突起４０３６を含む。
【００９２】
図５７に示されるＴ字形脚−運搬経路接続具４０６０は、長手方向レール４０２０の一部を形成する長手方向シャフト４０６１と、長手方向シャフト４０６１から下方に延在して脚４０１８の上側部分を形成する実質的に垂直のシャフト４０６２とを含む。長手方向シャフト端部は、開口４００１に受け入れられ、長手方向レール４０２０を形成するシャフト４０１０に接続されるように構成された突起４０６３ａ、４０６３ｂを含む。突起４０６３ｂはまた、運搬経路シャフト接続具４０７０の開口４０７５を通過して、運搬経路シャフト接続具をシャフトおよび脚に接続する。実質的に垂直のシャフト４０６２は脚を画定するシャフト４０１１の開口４００２に挿入されて脚−運搬経路接続具４０６０および長手方向レール４０２０を脚４０１８に接続するように構成された突起４０６４を含む。
【００９３】
Ｔ字形脚−運搬経路接続具４０６０は、実質的に垂直のシャフト４０６２に接続された一体化戻り経路支持レール（不図示）を含んでもよい。あるいは、図６０に示される別個の戻り経路支持部４０５０を使用してもよい。戻り経路支持部４０５０は、例示の実施形態では弓状である戻り経路支持レール４０５２が交差する横方向レール４０５１を含む。横方向レール４０５１は、Ｔ字形脚−運搬経路接続具４０６０の突起４０６４を受け入れるように構成された開口４０５４を含む接続具４０５３で終端する。接続具４０５３は、脚４０１８を画定するシャフト４０１１と整列しかつそれにのしかかり、脚４０１８は突起４０６４も受け入れる。
【００９４】
中間長手方向レール４０２１は、図５８および５９に示される接続具４０２３および４０７０を使用してフレーム４０００に一体化される。中間の湾曲した端部延長部４０２３は中央シャフト４０４２を含み、中央シャフト４０４２は突起４０４５を介して別のシャフト４０１０と直列に接続する。中央シャフト４０４２は湾曲して中間長手方向レール４０２１の反転要素４０４３を画定する。横方向レール４０４６は中央シャフト４０４２と交差し、接続具４０４７で終端する。接続具４０４７は外側レール湾曲延長部４０２２の突起４０３５を受け入れる開口４０４８を有する。従って中間の湾曲した延長部４０２３は、一体反転要素を画定するのに加えて、中間長手方向レール４０２１の一部を形成するシャフト４０１０を、外側長手方向レール４０２０に接続する。
【００９５】
運搬経路シャフト接続具４０７０は、中間の長手方向延在レール４０２１の中央部分を画定する長手方向レール４０７１と、脚−運搬経路接続具４０６０の突起４０６３ｂを受け入れる開口を有する接続具４０７４で終端する横方向レール４０７３とを含む。シャフト４０７１はまた、中間長手方向レールを形成するためにシャフト４０１０と運搬経路シャフト接続具を接続すべくシャフト４０１０の開口４００１に挿入可能な突起４０７２を含む。
【００９６】
図６１および６２は、清掃可能なコンベヤフレームを形成するようにモジュラー式フレーム構成要素を接続するための別の手段を示す。図６１および６２は、自由回転接続具４１００を使用する、Ｔ字形脚運搬経路接続具４０６０と、長手方向延在レールの一部を画定するシャフト４０１０の間の接続具を示す。自由回転接続具は、接続後に自由に回転できるように段付きボルト４１０２または他の適切な結合具を使用してシャフト４０１０に結合される。自由回転接続具４１００は、Ｔ字形脚運搬経路接続具４０６０の突起４０６３ｂなど、係合される構成要素のねじ突起と係合するためのねじ付き開口４１０１を有する管状部材を含む。自由回転接続具を使用して、上に記載したいかなるフレーム構成要素も結合することができる。
【００９７】
図１〜５１および５４〜６２の実施形態全体を通して、例示のフレーム構成要素は、清掃可能性を向上するために丸みのある断面を有し、図５２Ａ〜５３の長手フレーム支持部３３２０は、清掃可能性を促進するために丸みのあるＴ字形断面を有するが、フレーム構成要素は、清掃に適した任意の適切な断面形状を有してもよい。好ましくは、各フレーム構成要素は複数の円弧から形成されるか複数の円弧によって囲まれた外周を有し、より好ましくは円弧のみからなる外周を有し、外周およびフレームに鋭角がない。各フレーム構成要素の断面には、破片物または汚染物を捕捉し得る隙間も凹みもなく、好ましくは同じく破片物または汚染物を捕捉し得る水平な平面がない。適切な断面の例が図６３Ａ〜７２に示されている。フレーム構成要素は、図６３Ａおよび６３Ｂに示されるような丸みのある断面、図６４Ａおよび６４Ｂに示されるような楕円形断面、図６５Ａおよび６５Ｂに示されるような丸みのある矩形断面、または図６６Ａおよび６６Ｂに示されるような丸みのある台形断面を有してもよい。別の実施形態では、フレーム構成要素の外周を画定する複数の円弧は、図６７に示される丸みのあるＩ形鋼の形状を有する。図６８に示されるように、フレーム構成要素は、丸みのある「Ｔ」または自転車の座席の形態の断面を有してもよい。図６９に示されるように、フレーム構成要素は、コンマまたは腎臓の形状に似た断面を有してもよく、このとき、丸みのある上側球部が、丸みのある長い方の垂直突出部からある角度で延びている。図６７〜６９の断面は強度および清潔性を最大化する一方、重量およびフレーム構成要素を形成するのに必要な材料の量を最少化する。他の適切な断面形状は、涙滴形断面、半円形断面、丸みのある三角形、丸みのある五角形、および当業者に知られる他の形状を含むがこれらに限定されない。
【００９８】
図６７、６８および６９の実施形態では、垂直構成部分は薄板のように薄くてもよい。一実施形態では、フレーム構成要素は、上に記載した造形形状に形成される鋼などの金属の薄板から作られる。
【００９９】
図７０、７１および７２は、清掃可能なコンベヤフレームの構成要素の断面図である。構成要素はハイブリッド材料から形成可能である。例えば、図７０に示されるように、コンベヤフレーム構成要素３４０１は、外側被覆またはコーティング３４０３で囲まれたコア３４０２を含んでもよい。一例では、コア３４０２はステンレス鋼であり得、被覆またはコーティング３４０３はプラスチックであり得る。外側被覆またはコーティング３４０３は可変厚さを有してもよい。例えば、外側被覆またはコーティング３４０３は、コンベヤフレーム構成要素の頂部でより厚く、コンベヤフレーム構成要素の底部で最小すなわちより小さい厚さにテーパしてもよい。
【０１００】
図７１に示されるように、コンベヤフレーム構成要素３５０１は、取外し可能な覆い３５１３を有するコア３５１２を別法として含んでもよく、覆いは異なる材料から形成してよい。例えば、コア３５１２はステンレス鋼から形成可能であり、取外し可能な覆い３５１３はプラスチックから形成可能である。
【０１０１】
図７２に示されるように、コンベヤフレーム構成要素３６０１は、スリーブ３６２３で覆われた中心コア３５２２を別法として含んでもよい。１つの例示的実施形態では、中心コア３６２２はステンレス鋼から形成され、スリーブ３６２３はプラスチックから形成される。
【０１０２】
本発明を特定の形態を参照して記載したが、他の形態が可能である。本発明の範囲は、詳細に記載した例示的形態に限定されるように意図されていない。
【図１】
0006273271.tif 000002
【図２】
0006273271.tif 000003
【図３】
0006273271.tif 000004
0006273271.tif 000005
【図５】
0006273271.tif 000006
【図６】
0006273271.tif 000007
【図７】
0006273271.tif 000008
【図８Ａ】
0006273271.tif 000009
【図８Ｂ】
0006273271.tif 000010
【図９Ａ】
0006273271.tif 000011
【図９Ｂ】
0006273271.tif 000012
【図１０Ａ】
0006273271.tif 000013
【図１０Ｂ】
0006273271.tif 000014
【図１１Ａ】
0006273271.tif 000015
【図１１Ｂ】
0006273271.tif 000016
【図１２Ａ】
0006273271.tif 000017
【図１２Ｂ】
0006273271.tif 000018
【図１３Ａ】
0006273271.tif 000019
【図１３Ｂ】
0006273271.tif 000020
【図１４Ａ】
0006273271.tif 000021
【図１４Ｂ】
0006273271.tif 000022
【図１５Ａ】
0006273271.tif 000023
【図１５Ｂ】
0006273271.tif 000024
【図１６】
0006273271.tif 000025
【図１７】
0006273271.tif 000026
【図１８】
0006273271.tif 000027
【図１９】
0006273271.tif 000028
0006273271.tif 000029
0006273271.tif 000030
【図２２】
0006273271.tif 000031
【図２３】
0006273271.tif 000032
【図２４】
0006273271.tif 000033
【図２５】
0006273271.tif 000034
【図２６】
0006273271.tif 000035
【図２７】
0006273271.tif 000036
【図２８】
0006273271.tif 000037
【図２９】
0006273271.tif 000038
【図３０】
0006273271.tif 000039
【図３１】
0006273271.tif 000040
【図３２】
0006273271.tif 000041
【図３３】
0006273271.tif 000042
【図３４】
0006273271.tif 000043
【図３５】
0006273271.tif 000044
【図３６】
0006273271.tif 000045
【図３７】
0006273271.tif 000046
【図３８】
0006273271.tif 000047
【図３９Ａ】
0006273271.tif 000048
【図３９Ｂ】
0006273271.tif 000049
【図４０】
0006273271.tif 000050
【図４１】
0006273271.tif 000051
【図４２】
0006273271.tif 000052
【図４３】
0006273271.tif 000053
【図４４】
0006273271.tif 000054
【図４５】
0006273271.tif 000055
【図４６】
0006273271.tif 000056
【図４７】
0006273271.tif 000057
【図４８Ａ】
0006273271.tif 000058
【図４８Ｂ】
0006273271.tif 000059
【図４９】
0006273271.tif 000060
【図５０Ａ】
0006273271.tif 000061
【図５０Ｂ】
0006273271.tif 000062
【図５１】
0006273271.tif 000063
【図５２Ａ】
0006273271.tif 000064
【図５２Ｂ】
0006273271.tif 000065
【図５２Ｃ】
0006273271.tif 000066
【図５３】
0006273271.tif 000067
【図５４】
0006273271.tif 000068
【図５５】
0006273271.tif 000069
【図５６】
0006273271.tif 000070
【図５７】
0006273271.tif 000071
【図５８】
0006273271.tif 000072
【図５９】
0006273271.tif 000073
【図６０】
0006273271.tif 000074
【図６１】
0006273271.tif 000075
【図６２】
0006273271.tif 000076
【図６３Ａ】
0006273271.tif 000077
【図６３Ｂ】
0006273271.tif 000078
【図６４Ａ】
0006273271.tif 000079
【図６４Ｂ】
0006273271.tif 000080
【図６５Ａ】
0006273271.tif 000081
【図６５Ｂ】
0006273271.tif 000082
【図６６Ａ】
0006273271.tif 000083
【図６６Ｂ】
0006273271.tif 000084
【図６７】
0006273271.tif 000085
【図６８】
0006273271.tif 000086
【図６９】
0006273271.tif 000087
【図７０】
0006273271.tif 000088
【図７１】
0006273271.tif 000089
【図７２】
0006273271.tif 000090